(57)【特許請求の範囲】
【請求項１】
第１ユーザによる操作に応じて固有の第１識別情報を含む呼出信号を送信するワイヤレス送信器と、前記呼出信号を受信して呼出信号に含まれる前記第１識別情報に基づき、前記第１識別情報で特定される前記ワイヤレス送信器からの呼び出しを第２ユーザに通知する携帯型送受信器とを備えるワイヤレスコールシステムであって、
前記携帯型送受信器は、
前記第２ユーザが前記第１ユーザによる呼び出し要求に応対する際にその旨を入力するための応対用操作手段と、
前記応対用操作手段が操作されるのに応じて、当該携帯型送受信器に固有の第２識別情報を含む応対信号を他の携帯型送受信器に送信する応対信号送信手段と、
前記呼出信号及び前記応対信号を受信したことに応じて、呼び出し要求があった前記ワイヤレス送信器の第１識別情報と、この呼び出し要求に応対した前記携帯型送受信器の第２識別情報とを対応付けて履歴として記憶する記憶手段と、
前記第２ユーザが前記第１ユーザによる呼び出し要求に対して他の第２ユーザに応援を要請する際にその旨を入力するための応援呼出用操作手段と、
前記応援呼出用操作手段が操作されるのに応じて、当該携帯型送受信器に固有の第２識別情報を含む応援要請信号を他の携帯型送受信器に送信する応援要請信号送信手段と、
前記応援要請信号を受信したことに応じて、応援要請があった前記携帯型送受信器の第２識別情報と対応付けられた前記第１識別情報を前記記憶手段から取得し、当該第１識別情報に対応する情報を前記第２ユーザに通知するように制御する制御手段とを備えること
を特徴とするワイヤレスコールシステム。
【請求項２】
前記制御手段は、前記呼出信号を受信したことに応じて、呼び出し要求があった前記ワイヤレス送信器の第１識別情報に対応する情報を表示手段に表示させ、前記応援要請信号を受信したことに応じて、前記表示手段に表示されている情報よりも、応援要請があった前記携帯型送受信器の第２識別情報と対応付けられた前記第１識別情報に対応する情報を優先的に前記表示手段に表示させること
を特徴とする請求項１記載のワイヤレスコールシステム。
【請求項３】
前記携帯型送受信器は、
前記第２ユーザが前記第１ユーザによる呼び出し要求に対する応対を完了した際にその旨を入力するための応対完了用操作手段と、
前記応対完了用操作手段が操作されるのに応じて、当該携帯型送受信器に固有の第２識別情報を含む応対完了信号を他の携帯型送受信器に送信する応対完了信号送信手段とを備え、
前記制御手段は、前記呼出信号を受信したことに応じて、呼び出し要求があった前記ワイヤレス送信器の第１識別情報に対応する情報を表示手段に表示させ、前記応対信号を受信したことに応じて、前記表示手段に表示されている前記ワイヤレス送信器の第１識別情報に対応する情報の表示形態を変更し、前記応対完了信号を受信したことに応じて、前記表示手段に表示されている前記ワイヤレス送信器の第１識別情報に対応する情報を消去すること
を特徴とする請求項１又は請求項２記載のワイヤレスコールシステム。
【請求項４】
前記制御手段は、前記応対完了信号を受信したことに応じて、前記記憶手段に対応付けて記憶されている前記第１識別情報及び前記第２識別情報を消去すること
を特徴とする請求項３記載のワイヤレスコールシステム。
【発明の詳細な説明】
【技術分野】
【０００１】
本発明は、呼出信号を送信して呼び出しを行うワイヤレスコールシステムに関する。
【背景技術】
【０００２】
従来から、飲食店などにおいては、顧客に対する従業員の迅速な応対を目的として、客席の卓上毎に、所定の呼出ボタンの押下に応じて呼出信号を送信するワイヤレス送信器を設けるとともに、このワイヤレス送信器からの呼出信号を従業員によって管理される所定のワイヤレス受信器によって受信することにより、呼び出しがあった旨を従業員に通知するワイヤレスコールシステムが考案、実施されている。
【０００３】
ワイヤレス受信器には、店舗内の従業員が視認し易い位置に設置され、複数の呼出信号の受信結果を同時に表示することができる固定設置型のワイヤレス受信器の他に、各従業員が携帯して、呼出信号の受信結果を表示、報知することができる携帯型のワイヤレス受信器がある（例えば、特許文献１参照。）。
【０００４】
飲食店などのサービス提供者は、このようなワイヤレスコールシステムを利用することにより、最低限、顧客からの要求があった場合に接客などの各種サービスを提供すればよいため、必要以上に従業員を雇うことを回避することができ、経営上の無駄なコストを削減することができる。また、従業員が、顧客の要求に迅速に対応することが可能となることから、来店した顧客のサービスに対する満足度が向上し、営業上の大きなメリットを獲得することができる。
【特許文献１】特開平１−３２１５９８号公報
【発明の開示】
【発明が解決しようとする課題】
【０００５】
一般に、ワイヤレス送信器によって送信される呼出信号をワイヤレス受信器で受信して呼び出し要求があった旨が通知されると、従業員は、呼び出し要求をしたユーザの応対に向かうことになる。このとき、顧客から複数の要求がなされる場合や、１人の従業員だけでは対応できない場合がある。
【０００６】
このようなとき、従業員は、客にしばらく待ってもらい他の従業員に応援を求めたり、客席に設けられたワイヤレス送信器の呼出ボタンを押下して、他の従業員を呼び応援を求めたりする必要がある。
【０００７】
しかしながら、顧客を待たせることは、サービスを提供する側としては望ましくない行為である。また、顧客が使用する目的で用意されているワイヤレス送信器は、テーブル上の任意の位置に置かれているため、例えば、従業員からは手の届きにくい位置に置かれていることもある。このような場合、無理にワイヤレス送信器へと手を伸ばすと、顧客にぶつかったり、手が届き易いように体を避けてもらうなど、顧客に不快感を与えてしまう可能性がある。さらに、客席に設けられたワイヤレス送信器の呼出ボタンを押下して、他の従業員を呼び応援を求めた場合であっても、応援を求められた従業員は、応援を求められた事実を把握するのみで、どこに応援に向かえばよいのかわからないという問題もある。
【０００８】
そこで、本発明は、上述したような問題を解決するために案出されたものであり、顧客などのサービスを受ける側のユーザへ不快感を与えることなく、サービスを提供する側のユーザ同士で容易に応援要請をすることができるワイヤレスコールシステムを提供することを目的とする。
【課題を解決するための手段】
【０００９】
本発明に係るワイヤレスコールシステムにおいて、携帯型送受信器は、ワイヤレス送信器から送信された呼出信号及び他の携帯型送受信器から送信された応対信号を受信したことに応じて、呼び出し要求があったワイヤレス送信器の第１識別情報と、この呼び出し要求に応対した携帯型送受信器の第２識別情報とを対応付けて履歴として記憶手段に記憶し、当該他の携帯型送受信器から送信された応援要請信号を受信したことに応じて、応援要請があった当該他の携帯型送受信器の第２識別情報と対応付けられた第１識別情報を記憶手段から取得し、当該第１識別情報に対応する情報を第２ユーザに通知するように制御することで、上述の課題を解決する。
【発明の効果】
【００１０】
本発明に係るワイヤレスコールシステムによれば、応援を求められた第２ユーザが、応援を求めている他の第２ユーザが存在する場所を的確に把握することができ、第１ユーザへ不快感を与えることなく、第２ユーザ同士で容易に応援要請をすることができる。
【発明を実施するための最良の形態】
【００１１】
以下、本発明の実施の形態について図面を参照して説明する。
【００１２】
まず、図１を用いて、本発明の実施の形態として示すワイヤレスコールシステムについて説明をする。
【００１３】
このワイヤレスコールシステムは、当該ワイヤレスコールシステムによってサービスを受ける、例えば、飲食店の顧客といった非システム管理者側のユーザ（以下、第１ユーザと呼ぶ。）と、ワイヤレスコールシステムを主体的に利用して顧客にサービスを提供する、例えば、飲食店の従業員といったシステム管理者側のユーザ（以下、第２ユーザと呼ぶ。）とによって利用される。図１に示すように、ワイヤレスコールシステムは、第１ユーザによって利用される複数のワイヤレス送信器１０ｎ（ｎは、自然数）と、第２ユーザによって利用され、ワイヤレス送信器１０ｎと所定の周波数帯域を利用して無線通信することができる複数の携帯型送受信器２０ｍ（ｍは、自然数）とを備えている。
【００１４】
このワイヤレスコールシステムは、第１ユーザによりワイヤレス送信器１０ｎを介してなされる呼び出し要求に対して、携帯型送受信器２０ｍにより呼び出し要求を第２ユーザに通知することができる。
【００１５】
（ワイヤレス送信器１０ｎの構成）
ワイヤレス送信器１０ｎは、携帯型送受信器２０ｍに無線信号を送信するアンテナ１１、無線送信部１２と、送信するデータに基づき所定の周波数の搬送波を変調する変調部１３と、当該ワイヤレス送信器１０ｎを統括的に制御する信号処理部１４と、少なくとも当該ワイヤレス送信器１０ｎを一意に特定する固有の識別情報を記憶しているデータ記憶部１５と、携帯型送受信器２０ｍへ送信する無線信号の送信要求を入力する、例えば、押下ボタンなどである操作部１６とを備えている。
【００１６】
このような構成のワイヤレス送信器１０ｎは、小型形状をしており電源として図示しない電池を内蔵しているため、持ち運び自在であり、例えば、飲食店などの各テーブル上に簡易的に配置される。
【００１７】
信号処理部１４は、操作部１６が操作されたことに応じて、データ記憶部１５に記憶されている当該ワイヤレス送信器１０ｎを一意に特定する識別情報を読み出し、変調部１３、無線送信部１２を制御して、読み出した識別情報を添付した無線信号をアンテナ１１を介して携帯型送受信器２０ｍに送信する。この無線信号は、例えば、任意の携帯型送受信器２０ｍを呼び出すための呼出信号などである。
【００１８】
（携帯型送受信器２０ｍの構成）
図１に示すように、携帯型送受信器２０ｍは、ワイヤレス送信器１０ｎに無線信号を送信し、ワイヤレス送信器１０ｎから送信される無線信号を受信するアンテナ２１、無線送受信部２２と、送信するデータに基づき所定の周波数の搬送波を変調し、受信した無線信号に変調されているデータを復調して取り出す変復調部２３と、当該携帯型送受信器２０ｍを統括的に制御する信号処理部２４と、少なくともワイヤレスコールシステムを構成する全てのワイヤレス送信器１０ｎの識別情報と他の携帯型送受信器２０ｍの識別情報とを記憶したデータ記憶部２５と、ユーザによる操作命令を入力する、例えば、押下ボタンなどである操作部２６と、ワイヤレス送信器１０ｎからの呼び出し要求を表示する、例えば、液晶ディスプレイなどである表示部２７と、呼び出し要求に応じて発音する発音部２８と、同じく呼び出し要求に応じて振動する振動部２９とを備える。
【００１９】
このような携帯型送受信器２０ｍは、例えば、図２に示すように、従業員などである第２ユーザが常に携帯できるような形状、重量となっており、内蔵される電池などで電源を確保している。
【００２０】
図２に示すように、携帯型送受信器２０ｍは、操作部２６として、第２ユーザが第１ユーザによる呼び出し要求に応対する際にその旨を入力するための応対ボタン２６Ａと、第２ユーザが第１ユーザによる呼び出し要求に対する応対を完了した際にその旨を入力するための応対完了ボタン２６Ｂと、第２ユーザが第１ユーザによる呼び出し要求に対して他の第２ユーザに応援を要請する際にその旨を入力するための応援呼出ボタン２６Ｃとを備えている。なお、同図においては、２つの応対ボタン２６Ａが設けられている様子を示しているが、携帯型送受信器２０ｍは、少なくとも１つの応対ボタン２６Ａを備えればよい。
【００２１】
また、図２に示すように、携帯型送受信器２０ｍは、表示部２７として、液晶ディスプレイ２７Ａを備えている。この液晶ディスプレイ２７Ａは、呼び出し要求があったワイヤレス送信器１０ｎが配置されているテーブルのテーブル番号などを表示させる複数の表示領域を備えている。
【００２２】
具体的には、この表示領域としては、応対していないテーブル番号のうち、最も先に呼び出しがあったテーブル番号を表示する第１テーブル番号表示領域２７ａと、応対していないテーブル番号のうち、２番目に呼び出しがあったテーブル番号を表示する第２テーブル番号表示領域２７ｂとが設けられる。また、表示領域には、応対していないテーブル番号のうち、３番目以降に呼び出しがあったテーブル番号が存在する場合に、その旨を点灯の有無によって通知する通知領域２７ｃが設けられる。
【００２３】
なお、第１テーブル番号表示領域２７ａ及び第２テーブル番号表示領域２７ｂは、それぞれ、２つの応対ボタン２６Ａに対応して設けられるものである。すなわち、携帯型送受信器２０ｍは、応対ボタン２６Ａが１つしか設けられていない場合には、第１テーブル番号表示領域２７ａのみ設ければよい。この場合、通知領域２７ｃは、応対していないテーブル番号のうち、２番目以降に呼び出しがあったテーブル番号が存在する場合に点灯することになる。
【００２４】
同様に、携帯型送受信器２０ｍは、応対ボタン２６Ａが３つ以上設けられている場合には、図示しないが、呼び出し順に応じてテーブル番号表示領域を設けることになり、このテーブル番号表示領域数を超える呼び出しがあった場合に通知領域２７ｃを点灯させることになる。
【００２５】
以下では、説明の便宜上、テーブル番号表示領域として、２つの応対ボタン２６Ａに対応する第１テーブル番号表示領域２７ａ及び第２テーブル番号表示領域２７ｂが設けられるものとする。
【００２６】
さらに、表示領域としては、応援呼出ボタン２６Ｃが押下された場合に、その旨を表示する応援表示領域２７ｄが設けられる。さらにまた、表示領域としては、他の携帯型送受信器２０ｍから応援の要請があった場合に、当該他の携帯型送受信器２０ｍを所持している第２ユーザを識別するスタッフ番号を表示するスタッフ番号表示領域２７ｅが設けられる。
【００２７】
このような操作部２６及び表示部２７を備える携帯型送受信器２０ｍにおいて、データ記憶部２５には、例えば図３に示すような３種類のテーブルが記憶されている。
【００２８】
すなわち、データ記憶部２５には、図３（ａ）に示すように、ＩＤ１，ＩＤ２，・・・といったワイヤレス送信器１０ｎを識別する第１識別情報と、１，２，・・・といった当該ワイヤレス送信器１０ｎが置かれているテーブル番号を示すテーブル番号情報とを対応付けて構成される第１テーブルが記憶される。この第１テーブルは、ワイヤレス送信器１０ｎが置かれたテーブルを把握するために用いられ、予め決められた情報が記憶された静的なものである。
【００２９】
また、データ記憶部２５には、図３（ｂ）に示すように、ＩＤ１０１，ＩＤ１０２，・・・といった携帯型送受信器２０ｍを識別する第２識別情報と、１，２，・・・といった当該携帯型送受信器２０ｍを所持している第２ユーザを識別するスタッフ番号情報とを対応付けて構成される第２テーブルが記憶される。この第２テーブルは、携帯型送受信器２０ｍを所持している第２ユーザを把握するために用いられ、予め決められた情報が記憶された静的なものである。
【００３０】
さらに、データ記憶部２５には、図３（ｃ）に示すように、呼び出し要求があったワイヤレス送信器１０ｎの第１識別情報と、この呼び出し要求に応対した携帯型送受信器２０ｍの第２識別情報とを対応付けて構成される第３テーブルが記憶される。この第３テーブルは、第１ユーザによる呼び出し要求と第２ユーザによる応対との履歴を示すものであり、ワイヤレス送信器１０ｎから受信した呼出信号から当該ワイヤレス送信器１０ｎの第１識別情報を取得するとともに、この呼び出し要求に応対した携帯型送受信器２０ｍから受信した応対信号から当該携帯型送受信器２０ｍの第２識別情報を取得することによって動的に構成される。
【００３１】
このようなデータ記憶部２５、操作部２６及び表示部２７を備える携帯型送受信器２０ｍにおいて、信号処理部２４は、ワイヤレス送信器１０ｎから呼出信号を受信することによって第１ユーザによる呼び出し要求があったことを検出すると、図３（ａ）に示した第１テーブルを参照し、呼び出し要求があったワイヤレス送信器１０ｎのテーブル番号を第１テーブル番号表示領域２７ａ又は第２テーブル番号表示領域２７ｂに表示させるとともに、発音部２８や振動部２９を鳴動させる。また、信号処理部２４は、呼び出し要求があったワイヤレス送信器１０ｎの第１識別情報を、図３（ｃ）に示した第３テーブルに記憶させる。
【００３２】
そして、信号処理部２４は、応対ボタン２６Ａが押下されると、他の携帯型送受信器２０ｍに対して、呼び出し要求に応対したことを知らせる応対信号を送信する。このとき、信号処理部２４は、応対ボタン２６Ａが複数設けられている場合には、どの応対ボタンであるか、すなわち、どのテーブル番号に対する応対であるかを識別する情報も応対信号に含ませて送信する。
【００３３】
これに応じて、応対信号を受信した他の携帯型送受信器２０ｍにおける信号処理部２４は、図３（ａ）に示した第１テーブルを参照し、応対がされたテーブル番号が第１テーブル番号表示領域２７ａ又は第２テーブル番号表示領域２７ｂに表示されていた場合には、その表示を停止させるとともに、発音部２８や振動部２９の鳴動を停止させる。
【００３４】
これにより、この応対信号を受信した他の携帯型送受信器２０ｍを所持する他の第２ユーザは、ワイヤレス送信器１０ｎからの呼び出し要求に対する応対を、第２ユーザが実行したことを把握することができる。また、信号処理部２４は、応対した第２ユーザが所持する携帯型送受信器２０ｍの第２識別情報を、第１識別情報と対応付けて図３（ｃ）に示した第３テーブルに記憶させる。
【００３５】
なお、信号処理部２４は、第２ユーザにより応対ボタン２６Ａが押下されたことに応じて、ワイヤレス送信器１０ｎから送信される呼出信号をトリガーとして実行される表示部２７の表示、発音部２８、振動部２９の鳴動といった呼び出し動作の停止を要求する停止要求信号をワイヤレス送信器１０ｎに送信してもよい。ワイヤレス送信器１０ｎは、この停止要求信号を受信したことに応じて携帯型送受信器２０ｍに対して呼出停止信号を送信し、表示部２７、発音部２８、振動部２９による呼び出し動作を停止させる。これは、第２ユーザが、ワイヤレス送信器１０ｎの操作部１６を長押しすることで、携帯型送受信器２０ｍに呼出停止信号を送信し、呼び出し動作を停止させる機能と全く同じ機能である。
【００３６】
このように、応対ボタン２６Ａの押下で呼び出し動作を停止させることができるため、第２ユーザは、第１ユーザの呼び出し要求に応じる毎に、わざわざワイヤレス送信器１０ｎの操作部１６を長押しする必要がなくなる。したがって、第２ユーザの利便性が向上し、第１ユーザを不快にさせてしまう可能性を低減させることができる。
【００３７】
さらに、信号処理部２４は、応援呼出ボタン２６Ｃが押下されると、他の携帯型送受信器２０ｍに対して、応援を要請したことを知らせる応援要請信号を送信する。この応援要請信号を受信した他の携帯型送受信器２０ｍにおける信号処理部２４は、図３（ｂ）に示した第２テーブルを参照し、応援要請があった第２ユーザのスタッフ番号をスタッフ番号表示領域２７ｅに表示させるとともに、発音部２８や振動部２９を鳴動させる。
【００３８】
また、他の携帯型送受信器２０ｍにおける信号処理部２４は、図３（ｃ）に示した第３テーブルを参照し、応援要請があった第２ユーザが応対しているワイヤレス送信器１０ｎの識別情報を取得し、さらに、図３（ａ）に示した第１テーブルを参照し、当該ワイヤレス送信器１０ｎが置かれているテーブル番号情報を取得することにより、応援要請があったテーブルを特定する。
【００３９】
そして、信号処理部２４は、第１テーブル番号表示領域２７ａに表示されていたテーブル番号を第２テーブル番号表示領域２７ｂに表示させるとともに、応援要請があったテーブル番号を第１テーブル番号表示領域２７ａに表示させ、発音部２８や振動部２９を鳴動させる。
【００４０】
なお、ワイヤレス送信器１０ｎと携帯型送受信器２０ｍとは、直接、無線通信を実行しているように示しているが、本発明はこれに限定されることなく、例えば、中継装置などを介して行うようにしてもよい。
【００４１】
（ワイヤレスコールシステムにおける処理動作）
このようなワイヤレスコールシステムにおいては、具体的には図４に示すような一連の手順にしたがって、第１ユーザによる呼び出し要求に対する処理を行う。なお、ここでは、説明の便宜上、１台のワイヤレス送信器１０ｎと２台の携帯型送受信器２０１，２０２とがあり、一方の携帯型送受信器２０１を介して応対及び応援要請を行う場合について説明する。
【００４２】
まず、ステップＳ１において、ワイヤレス送信器１０ｎにおける操作部１６が押下されるのに応じて、当該ワイヤレス送信器１０ｎにおける信号処理部１４は、呼出信号を生成して２台の携帯型送受信器２０１，２０２に送信する。一方、２台の携帯型送受信器２０１，２０２における信号処理部２４は、それぞれ、ステップＳ２及びステップＳ３において、呼出信号を受信したか否かを判定し、ステップＳ４及びステップＳ５において、呼出信号を受信するまでアイドル状態として余分な電力消費を防止する。
【００４３】
そして、２台の携帯型送受信器２０１，２０２における信号処理部２４は、それぞれ、呼出信号を受信すると、ステップＳ６及びステップＳ７において、呼出信号からワイヤレス送信器１０ｎの第１識別情報を取得し、これをデータ記憶部２５に構成される第３テーブルに記憶させる。また、２台の携帯型送受信器２０１，２０２における信号処理部２４は、それぞれ、ステップＳ８及びステップＳ９において、データ記憶部２５に構成される第１テーブルを参照し、ワイヤレス送信器１０ｎが置かれているテーブル番号を表示部２７における第１テーブル番号表示領域２７ａ又は第２テーブル番号表示領域２７ｂに表示させるとともに、発音部２８や振動部２９を鳴動させる。
【００４４】
ここで、一方の携帯型送受信器２０１における応対ボタン２６Ａが押下された場合を考える。この場合、その携帯型送受信器２０１における信号処理部２４は、ステップＳ１０において、応対ボタン２６Ａが押下されるのに応じて、応対信号を他方の携帯型送受信器２０２に送信する。このとき、一方の携帯型送受信器２０１における信号処理部２４は、上述したように、応対ボタン２６Ａが複数設けられている場合には、どの応対ボタンであるか、すなわち、どのテーブル番号に対する応対であるかを識別する情報も応対信号に含ませて送信する。
【００４５】
そして、一方の携帯型送受信器２０１における信号処理部２４は、ステップＳ１１において、自己の第２識別情報を、ステップＳ６にて第３テーブルに記憶させた第１識別情報と対応付けて記憶させる。また、一方の携帯型送受信器２０１における信号処理部２４は、ステップＳ１２において、表示部２７における第１テーブル番号表示領域２７ａ又は第２テーブル番号表示領域２７ｂに表示されているテーブル番号の表示を停止させるとともに、発音部２８や振動部２９の鳴動も停止させる。
【００４６】
一方、他方の携帯型送受信器２０２における信号処理部２４は、ステップＳ１３において、一方の携帯型送受信器２０１から応対信号を受信すると、ステップＳ１４において、一方の携帯型送受信器２０１の第２識別情報を、ステップＳ７にて第３テーブルに記憶させた第１識別情報と対応付けて記憶させる。また、他方の携帯型送受信器２０２における信号処理部２４は、ステップＳ１５において、表示部２７における第１テーブル番号表示領域２７ａ又は第２テーブル番号表示領域２７ｂに表示されているテーブル番号の表示を停止させるとともに、発音部２８や振動部２９の鳴動も停止させる。
【００４７】
２台の携帯型送受信器２０１，２０２における信号処理部２４は、それぞれ、このようにしてワイヤレス送信器１０ｎを介した呼び出し要求に対する処理を行うと、ステップＳ１６及びステップＳ１７において、データ記憶部２５に構成される第３テーブルを参照し、第２識別情報と対応付けられていない第１識別情報があるか否か、すなわち、呼び出し要求に対して応対していないテーブル番号があるか否かを判定する。ここで、２台の携帯型送受信器２０１，２０２における信号処理部２４は、それぞれ、対応付けられていない第１識別情報があると判定した場合には、ステップＳ１８及びステップＳ１９において、データ記憶部２５に構成される第１テーブルを参照し、当該第１識別情報に対応するテーブル番号を表示部２７における第１テーブル番号表示領域２７ａ又は第２テーブル番号表示領域２７ｂに表示させるとともに、発音部２８や振動部２９を鳴動させる。
【００４８】
続いて、ステップＳ２０において、一方の携帯型送受信器２０１における応援呼出ボタン２６Ｃが押下されない場合には、その携帯型送受信器２０１における信号処理部２４は、ステップＳ１０からの処理を繰り返す。これに対して、応援呼出ボタン２６Ｃが押下された場合には、一方の携帯型送受信器２０１における信号処理部２４は、ステップＳ２０において、応援呼出ボタン２６Ｃが押下されるのに応じて、応援要請信号を他方の携帯型送受信器２０２に送信する。
【００４９】
そして、他方の携帯型送受信器２０２における信号処理部２４は、ステップＳ２１において、応援要請信号から一方の携帯型送受信器２０１の第２識別情報を取得するとともに、データ記憶部２５に構成される第２テーブルを参照し、当該第２識別情報に対応するスタッフ番号を表示部２７におけるスタッフ番号表示領域２７ｅに表示させる。
【００５０】
また、他方の携帯型送受信器２０２における信号処理部２４は、ステップＳ２２において、データ記憶部２５に構成される第３テーブルを参照し、一方の携帯型送受信器２０１の第２識別情報と対応付けられた最新の第１識別情報を取得するとともに、第１テーブルを参照し、当該第１識別情報に対応するテーブル番号を、最も緊急性が高いものとして第２ユーザに知らせるために、表示部２７における第１テーブル番号表示領域２７ａに優先的に表示させる。
【００５１】
ワイヤレスコールシステムにおいては、このような一連の手順にしたがって、第１ユーザによる呼び出し要求に対する処理を行うことができる。
【００５２】
なお、ワイヤレスコールシステムにおいては、携帯型送受信器２０ｍにおける応対完了ボタン２６Ｂを用いることにより、第２ユーザに対してよりわかりやすい通知を行うことができる。この場合、ワイヤレスコールシステムにおいては、図４に示した一連の手順に代えて、図５に示すような一連の手順にしたがって、第１ユーザによる呼び出し要求に対する処理を行う。
【００５３】
すなわち、２台の携帯型送受信器２０１，２０２における信号処理部２４は、それぞれ、図４中ステップＳ１２及びステップＳ１５の処理に代えて、ステップＳ３１乃至ステップＳ３５の処理を行う。
【００５４】
まず、応対ボタン２６Ａが押下された一方の携帯型送受信器２０１における信号処理部２４は、ステップＳ１１において、自己の第２識別情報を、ステップＳ６にて第３テーブルに記憶させた第１識別情報と対応付けて記憶させると、ステップＳ３１において、発音部２８や振動部２９の鳴動を停止させる一方で、表示部２７における第１テーブル番号表示領域２７ａ又は第２テーブル番号表示領域２７ｂに表示されている応対中のテーブル番号を消去するのではなく、表示形態を変更して表示させる。具体的には、信号処理部２４は、表示部２７における第１テーブル番号表示領域２７ａ又は第２テーブル番号表示領域２７ｂに表示されている応対中のテーブル番号を点滅表示させる。
【００５５】
同様に、他方の携帯型送受信器２０２における信号処理部２４も、ステップＳ１４において、一方の携帯型送受信器２０１の第２識別情報を、ステップＳ７にて第３テーブルに記憶させた第１識別情報と対応付けて記憶させると、ステップＳ３２において、発音部２８や振動部２９の鳴動を停止させる一方で、表示部２７における第１テーブル番号表示領域２７ａ又は第２テーブル番号表示領域２７ｂに表示されている応対中のテーブル番号を点滅表示させる。
【００５６】
続いて、一方の携帯型送受信器２０１における信号処理部２４は、ステップＳ３３において、第２ユーザによる応対が完了して応対完了ボタン２６Ｂが押下されると、応対完了信号を他方の携帯型送受信器２０２に送信する。
【００５７】
そして、一方の携帯型送受信器２０１における信号処理部２４は、ステップＳ３４において、表示部２７における第１テーブル番号表示領域２７ａ又は第２テーブル番号表示領域２７ｂに点滅表示されているテーブル番号の表示を停止させるとともに、必要に応じて、ステップＳ１１にて第３テーブルに対応付けて記憶させた第１識別情報及び第２識別情報を消去し、ステップＳ１６へと処理を移行する。
【００５８】
一方、他方の携帯型送受信器２０２における信号処理部２４は、一方の携帯型送受信器２０１から応対完了信号を受信すると、ステップＳ３５において、表示部２７における第１テーブル番号表示領域２７ａ又は第２テーブル番号表示領域２７ｂに点滅表示されているテーブル番号の表示を停止させるとともに、必要に応じて、ステップＳ１４にて第３テーブルに対応付けて記憶させた第１識別情報及び第２識別情報を消去し、ステップＳ１７へと処理を移行する。
【００５９】
ワイヤレスコールシステムにおいては、このような一連の手順にしたがって、第１ユーザによる呼び出し要求に対する処理を行うことにより、応対中である旨を第２ユーザに対してわかりやすく通知することができる。
【００６０】
（実施の形態の効果）
以上詳細に説明したように、実施の形態に係るワイヤレスコールシステムにおいて、携帯型送受信器２０ｍは、信号処理部２４の制御のもとに、ワイヤレス送信器１０ｎから送信された呼出信号及び他の携帯型送受信器２０ｍから送信された応対信号を受信したことに応じて、呼び出し要求があったワイヤレス送信器１０ｎの第１識別情報と、この呼び出し要求に応対した携帯型送受信器２０ｍの第２識別情報とを対応付けて履歴としてデータ記憶部２５に記憶させる。そして、携帯型送受信器２０ｍは、信号処理部２４の制御のもとに、当該他の携帯型送受信器２０ｍから送信された応援要請信号を受信したことに応じて、応援要請があった当該他の携帯型送受信器２０ｍの第２識別情報と対応付けられた最新の第１識別情報をデータ記憶部２５から取得し、当該第１識別情報に対応する情報を第２ユーザに通知する。
【００６１】
これにより、このワイヤレスコールシステムにおいては、応援を求められた第２ユーザが、応援を求めている他の第２ユーザが存在する場所を的確に把握することができ、第１ユーザへ不快感を与えることなく、第２ユーザ同士で容易に応援要請をすることができる。
【００６２】
また、携帯型送受信器２０ｍは、信号処理部２４の制御のもとに、呼出信号を受信したことに応じて、呼び出し要求があったワイヤレス送信器１０ｎの第１識別情報に対応する情報を表示部２７に表示させ、応援要請信号を受信したことに応じて、表示部２７に表示されている情報よりも、応援要請があった携帯型送受信器２０ｍの第２識別情報と対応付けられた第１識別情報に対応する情報を優先的に表示部２７に表示させる。
【００６３】
このように、このワイヤレスコールシステムにおいては、ワイヤレス送信器１０ｎからの呼び出し要求よりも、他の携帯型送受信器２０ｍからの応援による呼び出しを優先することにより、緊急性が高い事態に対して迅速に応対することが可能となる。
【００６４】
さらに、携帯型送受信器２０ｍは、信号処理部２４の制御のもとに、呼出信号を受信したことに応じて、呼び出し要求があったワイヤレス送信器１０ｎの第１識別情報に対応する情報を表示部２７に表示させ、応対信号を受信したことに応じて、表示部２７に表示されているワイヤレス送信器１０ｎの第１識別情報に対応する情報の表示形態を変更する。そして、携帯型送受信器２０ｍは、信号処理部２４の制御のもとに、応対完了信号を受信したことに応じて、表示部２７に表示されているワイヤレス送信器１０ｎの第１識別情報に対応する情報を消去する。
【００６５】
これにより、このワイヤレスコールシステムにおいては、応対中である旨を第２ユーザに対してわかりやすく通知することができる。
【００６６】
さらにまた、携帯型送受信器２０ｍは、信号処理部２４の制御のもとに、応対完了信号を受信したことに応じて、データ記憶部２５に対応付けて記憶されている第１識別情報及び第２識別情報を消去することにより、データ記憶部２５の記憶容量を小さくすることができ、低コスト化を図ることができる。
【００６７】
なお、上述の実施の形態は本発明の一例である。このため、本発明は、上述の実施の形態に限定されることはなく、この実施の形態以外であっても、本発明に係る技術的思想を逸脱しない範囲であれば、設計等に応じて種々の変更が可能であることは勿論である。
【図面の簡単な説明】
【００６８】
【図１】本発明の実施の形態として示すワイヤレスコールシステムの構成について説明するためのブロック図である。
【図２】本発明の実施の形態として示すワイヤレスコールシステムが備える携帯型送受信器の概略外観構成について説明するための斜視図である。
【図３】本発明の実施の形態として示すワイヤレスコールシステムが備える携帯型送受信器におけるデータ記憶部に記憶されるテーブルの構成について説明するための図である。
【図４】本発明の実施の形態として示すワイヤレスコールシステムにおいて、第１ユーザによる呼び出し要求に対する処理を行う際の一連の処理を説明するためのフローチャートである。
【図５】本発明の実施の形態として示すワイヤレスコールシステムにおいて、応対完了ボタンを用いた場合に、第１ユーザによる呼び出し要求に対する処理を行う際の一連の処理を説明するためのフローチャートである。
【符号の説明】
【００６９】
１  ワイヤレスコールシステム
１０ｎ  ワイヤレス送信器
１１，２１  アンテナ
１２  無線送信部
１３  変調部
１４，２４  信号処理部
１５，２５  データ記憶部
１６，２６  操作部
２０１，２０２，２０ｍ  携帯型送受信器
２２  無線送受信部
２３  変復調部
２６Ａ  応対ボタン
２６Ｂ  応対完了ボタン
２６Ｃ  応援呼出ボタン
２７  表示部
２７Ａ  液晶ディスプレイ
２７ａ  第１テーブル番号表示領域
２７ｂ  第２テーブル番号表示領域
２７ｃ  通知領域
２７ｄ  応援表示領域
２７ｅ  スタッフ番号表示領域
２８  発音部
２９  振動部
【図１】
0004534970.tif 000002
【図２】
0004534970.tif 000003
【図３】
0004534970.tif 000004
【図４】
0004534970.tif 000005
【図５】
0004534970.tif 000006